【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
患者における前立腺癌の健康状態若しくは健康状態における変化、又は患者における前立腺癌若しくは前立腺癌のリスクを判定する方法であって、
ａ）前記患者からの少なくとも１つの試料を高分解能質量分析により分析して、正確な質量強度データを得るステップと；
ｂ）前記正確な質量強度データを１又は２以上の標準試料から得られた対応データと比較し、正確な質量強度における増加又は減少を確認するステップと；
ｃ）前記正確な質量強度の増加又は減少を用いて、前記患者における前立腺癌の健康状態若しくは健康状態における変化を判定、又は前記患者における前立腺癌若しくは前立腺ガンのリスクを判定するステップとを含み、
前記正確な質量強度が、ダルトン単位で、以下からなる群より選択される水素及び電子を調整した正確な質量若しくは正確な中性質量で測定されるか、又はそれらと実質的に同等である方法：
１７４．１４０８、１８８．１５６６、１９４．０８０４、２０２．０４５４、２０５．８８６７、２１６．０４０１、２１８．０３７２、２２６．０６８７、２２８．１４７６、２３２．９１３３、４２．２２５１、２４３．０７１９、２４４．０５６、２４７．９５７８、２５２．２０９６、２５８．２４８２、２６８．２４１２、２７２．２３５７、２７３．８７４、２７６．２０９６、２７８．２２５６、２７９．２２８７、２８０．２４１４、２８１．２４４８、２８３．２６０２、２８３．９０２８、２９２．２０４、２９６．２３５８、２９８．２５１９、２９９．２５５８、３００．２０９８、３００．２６７６、３０２．２２５６、３０４．２３９４、３０４．２４１、３０５．２４３、３０５．２４３９、３０６．２５７、３０８．２７１５、３１０．２１５４、３１０．２８８４、３１２．２３１３、３１２．３０４、３１４．２４６４、３１７．９６２６、３２０．２３５８、３２６．２２６２、３２６．２４７６、３２７．０３２６、３２８．２６２８、３２９．２４２６、３２９．２４４５、３３０．２５６８、３３１．８３２６、３３９．９９６４、３４０．２９７７、３４１．８６１４、３４２．２１９８、３５１．８９０６、３５４．１６６８、３６８．３４３７、３６９．３４７４、３７１．３５３８、３８２．２９０３、３９２．２９４、４１１．３１８６、４３０．３０８３、４３０．３８１８、４３１．３８６１、４３２．３６８６、４５２．２５３６、４７２．３９２５、４７３．３９５７、４８１．３１７１、４８１．３１７２、４８２．３２１６、４８４．３７９２、４９２．４１８４、４９４．４３４４、４９５．３３２８、４９５．４３７６、４９６．３３６、５０１．２８４８、５０５．３２２７、５０６．３２１３、５０７．３３１７、５０９．３４９３、５１７．３１４８、５１８．３１８２、５１８．４３４５、５１９．３３２、５１９．３３２８、５２０．４５０２、５２１．３４８、５２１．４５２６、５２２．４６４、５２３．３６４、５２３．４６７８、５２４．４７２５、５２９．３１６７、５３１．３１２３、５３４．４６４５、５３８．５０１、５４１．３１４８、５４１．３４２２、５４１．３４３３、５４２．３４５３、５４２．３４６１、５４５．３４６、５４８．４８１７、５４９．４８４８、５５２．３８２５、５５２．４０４８、５５５．３１０１、５６５．３３９３、５６５．３３９４、５６６．３４３３、５６６．３４３４、５６７．３５４６、５６７．３５４８、５６８．３５７３、５６８．３５７４、５６９．３６８７、５６９．３６９１、５７０．３７２６、５７０．４６５３、５７０．４９１５、５７９．５３２２、５８０．５３４５、５８２．２４６９、５８３．２５０４、５８７．３２２８、５８９．３４０１、５８９．３４０４、５９０．３４３、５９０．４５９７、５９６．４７９４、５９９．４９３２、６０１．５０７７、６０４．５４４１、６０５．５４６９、６０９．３２４２、６１２．５００４、６１５．４７９７、６２２．４９７３、６２３．４９１８、６２３．５００３、６２４．５１３４、６２５．５０７８、６２５．５１６３、６２６．５１０９、６２６．５２８５、６２７．５２０４、６２７．５３０６、６２８．５２３６、６２８．５４２６、６２９．５４５３、６３０．５５８２、６３２．５７５２、６３５．５２４６、６４１．４９１５、６４６．５７０９、６４７．５７４、６４７．６０６３、６４８．５８６５、６４９．５０５６、６４９．５８９８、６５５．５５０９、６６０．５００５、６６０．６０８２、６６３．４８６４、６７０．５６８８、６７０．５７１１、６７１．５７２３、６７２．５８６５、６７３．５８９３、６７３．６１８５、６７３．６２２４、６７５．６３５９、６７５．６３７５、６７６．６３９３、６８０．５６２５、６８４．５４８７、６８５．５５４３、６８６．５１２６、６８８．５２９４、６９０．４８４９、６９０．５４７、６９２．５５７１、６９３．６１１、６９５．６４７、６９６．５８５６、６９６．６５１、６９９．５２０５、７０２．５６７５、７０５．６０８３、７０７．６２５６、７０８．６３０８、７１０．４９２３、７１６．４９８２、７２１．６３８８、７２２．６４２３、７２３．５１９４、７２３．５１９８、７２４．５２４７、７２４．５４９６、７２５．５３７５、７２６．５４５６、７２７．５５６５、７２８．５６２、７２９．５７２４、７３１．４９１３、７３２．４９３８、７３３．６４２５、７３５．６５５５、７３６．２２３４、７３６．６５８４、７３７．５３５４、７３８．５４４９、７４１．５３０７、７４２．５３５４、７４３．５４６９、７４４．４９４２、７４５．４９７２、７４６．５５６、７４７．５２０１、７４７．５２３４、７４８．５２７９、７４８．５７２２、７４９．５３４６、７４９．５３５４、７４９．５３６４、７４９．５４０２、７４９．５７６３、７５０．５４０３、７５０．５４３４、７５１．５５１、７５１．５５２９、７５１．５５４８、７５２．５５６５、７５２．５５７８、７５３．５６７４、７５５．４８６６、７５６．４９０５、７５７．５０１７、７５７．５６１８、７５８．５０８９、７５８．５６５４、７５９．５１６、７５９．５７８、７６０．５２２３、７６０．５８１６、７６１．５２６９、７６５．５６６５、７６６．５７０１、７６７．５８２１、７６８．４９４４、７６８．５５０７、７６９．４９５７、７７０．５１０９、７７１．５８０９、７７２．５２６９、７７２．５８５６、７７３．５３３７、７７４．５４０４、７７５．５５３、７７５．５５３３、７７６．５５６３、７７６．６０５７、７７６．６０６９、７７７．５６７９、７７９．５４３８、７７９．５８３１、７８０．５４７４、７８１．５６１２、７８２．５０８７、７８２．５６４９、７８３．５１４１、７８３．５７８、７８３．６３４９、７８４．５２３５、７８４．５８１３、７８５．５２９５、７８５．５９３６、７８６．５４０４、７８６．５９６７、７８７．５４４７、７９３．５３８７、７９４．５１２６、７９４．５４２４、７９５．５５５５、７９６．５２９２、７９８．６７７６、８０３．５４３６、８０３．５６８５、８０４．５４７、８０４．５７１７、８０４．７２０８、８０４．７２１９、８０５．５６０６、８０５．５８３４、８０５．７２６７、８０６．５６４３、８０６．５８６３、８０７．５７６１、８０８．５７９５、８０９．５９３７、８１０．５４０１、８１０．５９７、８１１．５７３３、８１２．５７６７、８１３．５８８８、８１４．５９２、８１６．５５９１、８１６．７２９７、８１７．５３７６、８１９．５５５３、８２１．５７１８、８２２．５７５１、８２４．６８９、８２５．５５４５、８２５．５５４８、８２６．５５７９、８２６．７０５３、８２７．５４３９、８２７．５６９８、８２７．５６９９、８２７．７０８４、８２８．５７３４、８２８．５７４１、８２８．７２０６、８２９．５５９７、８２９．５８５７、８２９．７２３９、８２９．７２４４、８３０．５８８７、８３０．６５３７、８３０．７３５９、８３１．５７５、８３１．５９９９、８３１．６００２、８３１．７４０９、８３２．５７６５、８３２．６０２８、８３２．６０３９、８３５．６９９６、８３６．７０６３、８３７．５８８４、８３７．７１８２、８３８．７２２７、８３９．７３２１、８４７．５９５５、８５０．７０３、８５１．５６８９、８５１．７１１１、８５２．５７２５、８５２．７１９８、８５２．７２４２、８５３．５８５４、８５３．７２５２、８５４．５８８７、８５５．６０１３、８５６．６０４６、８５６．６６９７、８５７．６１７、８５７．６７３３、８５８．６８４７、８５９．６８７７、８６１．５２６５、８６１．７１７４、８６１．７８０８、８６２．７２２８、８６３．６８７４、８６３．７３３９、８６４．７３８、８６５．７４８２、８６６．７５２７、８６７．７５７６、８７１．５５２８、８７２．５５５６、８７３．５６８４、８７６．７２２３、８７７．７２７１、８７８．７３８１、８７９．５９８、８７９．７４２、８８０．７５２８、８８０．７５５５、８８１．７５６８、８８１．７６０９、８８２．７６７３、８８２．７７１７、８８３．７７１５、８８４．７８１７、８８４．７８７３、８８５．７８６７、８８５．７９１９、８８６．５５８２、８８６．８０２７、８８７．５６２５、８８７．８０２２、８９３．７７４、８９４．７２７３、８９４．７８１３、８９５．５５７８、８９５．５５９、８９５．７３３５、８９５．７８７３、８９６．７４５、８９７．５７３、８９７．７５、８９８．７６０５、８９９．５８７１、８９９．７６６３、９００．５８９７、９０２．７３７、９０３．７４０７、９０４．７５３５、９０５．７５７３、９０６．７６９、９０７．７７３５、９０８．７０８、９０８．７８４２、９０８．７８４３、９０９．７１５３、９０９．７８９２、９１０．７２４８、９１０．７９７９、９１１．７３２６、９１２．７４１２、９１３．７５０２、９１４．７５７７、９１５．７６７３、９１６．７７４、９１７．７８３６、９１８．７９０１、９１９．７９８１、９２０．７４７、９２０．８０５４、９２１．７５３、９２１．８１４５、９２２．７６５６、９２２．８２２９、９２３．５８８４、９２３．７６７５、９２４．７８２６、９２６．７３７１、９２８．７５１９、９３０．７６７３、９３１．７６９１、９３１．７９３、９３２．７８１９、９３４．７２３５、９３５．７２９９、９３６．７３８７、９３７．７４５７、９３８．７５５３、９３９．７６１６、９４０．７７０９、９４１．７７７９、９４２．７８７６、９４３．７９３１、９４４．８０３３、９４５．８０８５、９４６．８１８７、９５０．７３８５、９５２．７５６８、９５２．７７５９、９５４．７９０５、９６２．７６１６、９６４．７７６４、９６５．７８３９、９６６．７９３３、９６７．７９８１、９６８．８０７２、９９７．３９６８、１０１６．９２９、１０１７．９３４、１０１８．９４３、１０１９．９５、１０４０．９３４、１１７６．７７７、１２２５．０９３、１２２６．０９８、１２２７．１０７、１２２８．１１３、１２２９．１１８、１２５１．１１５、１２５３．１２９、１３７３．７４４及びその組合せ。
【請求項２】
患者における前立腺癌を治療する療法の効力を評価する方法であって、
ａ）前記患者からの試料を高分解能質量分析により分析して、正確な質量強度データを得るステップと；
ｂ）前記正確な質量強度データを１又は２以上の標準試料から得られた対応データと比較し、正確な質量強度における増加又は減少を確認するステップと；
ｃ）前記正確な質量強度の増加又は減少を用いて、前記療法が前記患者の健康状態を改善しているかどうかを判定するステップと
を含み、
前記正確な質量強度が、ダルトン単位で、以下からなる群より選択される水素及び電子を調整した正確な質量若しくは正確な中性質量で測定されるか、又はそれらと実質的に同等である方法：
１７４．１４０８、１８８．１５６６、１９４．０８０４、２０２．０４５４、２０５．８８６７、２１６．０４０１、２１８．０３７２、２２６．０６８７、２２８．１４７６、２３２．９１３３、４２．２２５１、２４３．０７１９、２４４．０５６、２４７．９５７８、２５２．２０９６、２５８．２４８２、２６８．２４１２、２７２．２３５７、２７３．８７４、２７６．２０９６、２７８．２２５６、２７９．２２８７、２８０．２４１４、２８１．２４４８、２８３．２６０２、２８３．９０２８、２９２．２０４、２９６．２３５８、２９８．２５１９、２９９．２５５８、３００．２０９８、３００．２６７６、３０２．２２５６、３０４．２３９４、３０４．２４１、３０５．２４３、３０５．２４３９、３０６．２５７、３０８．２７１５、３１０．２１５４、３１０．２８８４、３１２．２３１３、３１２．３０４、３１４．２４６４、３１７．９６２６、３２０．２３５８、３２６．２２６２、３２６．２４７６、３２７．０３２６、３２８．２６２８、３２９．２４２６、３２９．２４４５、３３０．２５６８、３３１．８３２６、３３９．９９６４、３４０．２９７７、３４１．８６１４、３４２．２１９８、３５１．８９０６、３５４．１６６８、３６８．３４３７、３６９．３４７４、３７１．３５３８、３８２．２９０３、３９２．２９４、４１１．３１８６、４３０．３０８３、４３０．３８１８、４３１．３８６１、４３２．３６８６、４５２．２５３６、４７２．３９２５、４７３．３９５７、４８１．３１７１、４８１．３１７２、４８２．３２１６、４８４．３７９２、４９２．４１８４、４９４．４３４４、４９５．３３２８、４９５．４３７６、４９６．３３６、５０１．２８４８、５０５．３２２７、５０６．３２１３、５０７．３３１７、５０９．３４９３、５１７．３１４８、５１８．３１８２、５１８．４３４５、５１９．３３２、５１９．３３２８、５２０．４５０２、５２１．３４８、５２１．４５２６、５２２．４６４、５２３．３６４、５２３．４６７８、５２４．４７２５、５２９．３１６７、５３１．３１２３、５３４．４６４５、５３８．５０１、５４１．３１４８、５４１．３４２２、５４１．３４３３、５４２．３４５３、５４２．３４６１、５４５．３４６、５４８．４８１７、５４９．４８４８、５５２．３８２５、５５２．４０４８、５５５．３１０１、５６５．３３９３、５６５．３３９４、５６６．３４３３、５６６．３４３４、５６７．３５４６、５６７．３５４８、５６８．３５７３、５６８．３５７４、５６９．３６８７、５６９．３６９１、５７０．３７２６、５７０．４６５３、５７０．４９１５、５７９．５３２２、５８０．５３４５、５８２．２４６９、５８３．２５０４、５８７．３２２８、５８９．３４０１、５８９．３４０４、５９０．３４３、５９０．４５９７、５９６．４７９４、５９９．４９３２、６０１．５０７７、６０４．５４４１、６０５．５４６９、６０９．３２４２、６１２．５００４、６１５．４７９７、６２２．４９７３、６２３．４９１８、６２３．５００３、６２４．５１３４、６２５．５０７８、６２５．５１６３、６２６．５１０９、６２６．５２８５、６２７．５２０４、６２７．５３０６、６２８．５２３６、６２８．５４２６、６２９．５４５３、６３０．５５８２、６３２．５７５２、６３５．５２４６、６４１．４９１５、６４６．５７０９、６４７．５７４、６４７．６０６３、６４８．５８６５、６４９．５０５６、６４９．５８９８、６５５．５５０９、６６０．５００５、６６０．６０８２、６６３．４８６４、６７０．５６８８、６７０．５７１１、６７１．５７２３、６７２．５８６５、６７３．５８９３、６７３．６１８５、６７３．６２２４、６７５．６３５９、６７５．６３７５、６７６．６３９３、６８０．５６２５、６８４．５４８７、６８５．５５４３、６８６．５１２６、６８８．５２９４、６９０．４８４９、６９０．５４７、６９２．５５７１、６９３．６１１、６９５．６４７、６９６．５８５６、６９６．６５１、６９９．５２０５、７０２．５６７５、７０５．６０８３、７０７．６２５６、７０８．６３０８、７１０．４９２３、７１６．４９８２、７２１．６３８８、７２２．６４２３、７２３．５１９４、７２３．５１９８、７２４．５２４７、７２４．５４９６、７２５．５３７５、７２６．５４５６、７２７．５５６５、７２８．５６２、７２９．５７２４、７３１．４９１３、７３２．４９３８、７３３．６４２５、７３５．６５５５、７３６．２２３４、７３６．６５８４、７３７．５３５４、７３８．５４４９、７４１．５３０７、７４２．５３５４、７４３．５４６９、７４４．４９４２、７４５．４９７２、７４６．５５６、７４７．５２０１、７４７．５２３４、７４８．５２７９、７４８．５７２２、７４９．５３４６、７４９．５３５４、７４９．５３６４、７４９．５４０２、７４９．５７６３、７５０．５４０３、７５０．５４３４、７５１．５５１、７５１．５５２９、７５１．５５４８、７５２．５５６５、７５２．５５７８、７５３．５６７４、７５５．４８６６、７５６．４９０５、７５７．５０１７、７５７．５６１８、７５８．５０８９、７５８．５６５４、７５９．５１６、７５９．５７８、７６０．５２２３、７６０．５８１６、７６１．５２６９、７６５．５６６５、７６６．５７０１、７６７．５８２１、７６８．４９４４、７６８．５５０７、７６９．４９５７、７７０．５１０９、７７１．５８０９、７７２．５２６９、７７２．５８５６、７７３．５３３７、７７４．５４０４、７７５．５５３、７７５．５５３３、７７６．５５６３、７７６．６０５７、７７６．６０６９、７７７．５６７９、７７９．５４３８、７７９．５８３１、７８０．５４７４、７８１．５６１２、７８２．５０８７、７８２．５６４９、７８３．５１４１、７８３．５７８、７８３．６３４９、７８４．５２３５、７８４．５８１３、７８５．５２９５、７８５．５９３６、７８６．５４０４、７８６．５９６７、７８７．５４４７、７９３．５３８７、７９４．５１２６、７９４．５４２４、７９５．５５５５、７９６．５２９２、７９８．６７７６、８０３．５４３６、８０３．５６８５、８０４．５４７、８０４．５７１７、８０４．７２０８、８０４．７２１９、８０５．５６０６、８０５．５８３４、８０５．７２６７、８０６．５６４３、８０６．５８６３、８０７．５７６１、８０８．５７９５、８０９．５９３７、８１０．５４０１、８１０．５９７、８１１．５７３３、８１２．５７６７、８１３．５８８８、８１４．５９２、８１６．５５９１、８１６．７２９７、８１７．５３７６、８１９．５５５３、８２１．５７１８、８２２．５７５１、８２４．６８９、８２５．５５４５、８２５．５５４８、８２６．５５７９、８２６．７０５３、８２７．５４３９、８２７．５６９８、８２７．５６９９、８２７．７０８４、８２８．５７３４、８２８．５７４１、８２８．７２０６、８２９．５５９７、８２９．５８５７、８２９．７２３９、８２９．７２４４、８３０．５８８７、８３０．６５３７、８３０．７３５９、８３１．５７５、８３１．５９９９、８３１．６００２、８３１．７４０９、８３２．５７６５、８３２．６０２８、８３２．６０３９、８３５．６９９６、８３６．７０６３、８３７．５８８４、８３７．７１８２、８３８．７２２７、８３９．７３２１、８４７．５９５５、８５０．７０３、８５１．５６８９、８５１．７１１１、８５２．５７２５、８５２．７１９８、８５２．７２４２、８５３．５８５４、８５３．７２５２、８５４．５８８７、８５５．６０１３、８５６．６０４６、８５６．６６９７、８５７．６１７、８５７．６７３３、８５８．６８４７、８５９．６８７７、８６１．５２６５、８６１．７１７４、８６１．７８０８、８６２．７２２８、８６３．６８７４、８６３．７３３９、８６４．７３８、８６５．７４８２、８６６．７５２７、８６７．７５７６、８７１．５５２８、８７２．５５５６、８７３．５６８４、８７６．７２２３、８７７．７２７１、８７８．７３８１、８７９．５９８、８７９．７４２、８８０．７５２８、８８０．７５５５、８８１．７５６８、８８１．７６０９、８８２．７６７３、８８２．７７１７、８８３．７７１５、８８４．７８１７、８８４．７８７３、８８５．７８６７、８８５．７９１９、８８６．５５８２、８８６．８０２７、８８７．５６２５、８８７．８０２２、８９３．７７４、８９４．７２７３、８９４．７８１３、８９５．５５７８、８９５．５５９、８９５．７３３５、８９５．７８７３、８９６．７４５、８９７．５７３、８９７．７５、８９８．７６０５、８９９．５８７１、８９９．７６６３、９００．５８９７、９０２．７３７、９０３．７４０７、９０４．７５３５、９０５．７５７３、９０６．７６９、９０７．７７３５、９０８．７０８、９０８．７８４２、９０８．７８４３、９０９．７１５３、９０９．７８９２、９１０．７２４８、９１０．７９７９、９１１．７３２６、９１２．７４１２、９１３．７５０２、９１４．７５７７、９１５．７６７３、９１６．７７４、９１７．７８３６、９１８．７９０１、９１９．７９８１、９２０．７４７、９２０．８０５４、９２１．７５３、９２１．８１４５、９２２．７６５６、９２２．８２２９、９２３．５８８４、９２３．７６７５、９２４．７８２６、９２６．７３７１、９２８．７５１９、９３０．７６７３、９３１．７６９１、９３１．７９３、９３２．７８１９、９３４．７２３５、９３５．７２９９、９３６．７３８７、９３７．７４５７、９３８．７５５３、９３９．７６１６、９４０．７７０９、９４１．７７７９、９４２．７８７６、９４３．７９３１、９４４．８０３３、９４５．８０８５、９４６．８１８７、９５０．７３８５、９５２．７５６８、９５２．７７５９、９５４．７９０５、９６２．７６１６、９６４．７７６４、９６５．７８３９、９６６．７９３３、９６７．７９８１、９６８．８０７２、９９７．３９６８、１０１６．９２９、１０１７．９３４、１０１８．９４３、１０１９．９５、１０４０．９３４、１１７６．７７７、１２２５．０９３、１２２６．０９８、１２２７．１０７、１２２８．１１３、１２２９．１１８、１２５１．１１５、１２５３．１２９、１３７３．７４４及びその組合せ。
【請求項３】
正確な質量強度が、イオン化された代謝産物である、請求項１又は２に記載の方法。
【請求項４】
患者からの少なくとも１つの試料を質量分析により分析して、１又は２以上の内部対照代謝産物について正確な質量強度データを得るステップと、
ステップ（ａ）で得られた各々の正確な質量強度の、前記１又は２以上の内部対照代謝産物について得られた正確な質量強度に対する比率を算出するステップと
をさらに含み、
比較ステップ（ｂ）が、各々の比率と、１又は２以上の標準試料について得られた１又は２以上の対応する比率とを比較することを含む、請求項１〜３のいずれかに記載の方法。
【請求項５】
正確な質量強度における減少が比較ステップ（ｂ）において確認される、請求項１〜４のいずれかに記載の方法。
【請求項６】
水素及び電子を調整した正確な質量、又は正確な中性質量が、ａ）４９５．３３２８、ｂ）５１７．３１４８、ｃ）５１９．３３２８、ｄ）５２１．３４８０、ｅ）５２３．３６４０、ｆ）５４１．３１４８、ｇ）５４５．３４６０、ｈ）４８１．３１７１、ｉ）５３１．３１２３、ｊ）５４１．３４２２、ｋ）５５５．３１０１、ｌ）５６５．３３９４、ｍ）５６７．３５４６、ｎ）５６９．３６８７及びその組合せからなる群より選択されることを特徴とする、請求項１〜５のいずれかに記載の方法。
【請求項７】
患者における前立腺癌の健康状態若しくは健康状態における変化、又は患者における前立腺癌若しくは前立腺癌のリスクを判定する方法であって、
ａ）前記患者からの少なくとも１つの試料を分析して、１又は２以上の代謝産物マーカーについての定量データを得るステップと、
ｂ）前記１又は２以上の代謝産物マーカーについての定量データと、１又は２以上の標準試料について得られた対応データとを比較して、前記試料における前記１又は２以上の代謝産物マーカーのレベルの増加又は減少を確認するステップと、
ｃ）前記少なくとも１つの試料において前記１又は２以上の代謝産物マーカーのレベルの増加又は減少のレベルを用いて、前記患者における前立腺癌の健康状態若しくは健康状態における変化、又は前記患者における前立腺癌若しくは前立腺癌のリスクを判定するステップとを含み、
前記１又は２以上の代謝産物マーカーが、リゾホスファチジルコリン、リゾホスファチジルエタノールアミン、リゾホスファチジルジメチルエタノールアミン、リゾホスファチジルセリン、リゾスフィンゴシルホスホリルコリン、リゾホスファチジルグリセロール、リゾホスファチジルイノシトール、血小板活性化因子（ＰＡＦ）、及びその組合せからなる群より選択される、１又は２以上のリゾリン脂質を含む方法。
【請求項８】
患者における前立腺癌を治療する療法の効力を評価する方法であって、
ａ）前記患者からの少なくとも１つの試料を分析して、１又は２以上の代謝産物マーカーについての定量データを得るステップと、
ｂ）前記１又は２以上の代謝産物マーカーについての定量データと、１又は２以上の標準試料について得られた対応データとを比較して、前記試料における前記１又は２以上の代謝産物マーカーのレベルの増加又は減少を確認するステップと、
ｃ）前記少なくとも１つの試料における前記１又は２以上の代謝産物マーカーののレベルの増加又は減少を用いて、前記療法が前記患者の健康状態を改善しているかどうかを判定するステップとを含み、
前記１又は２以上の代謝産物マーカーが、リゾホスファチジルコリン、リゾホスファチジルエタノールアミン、リゾホスファチジルジメチルエタノールアミン、リゾホスファチジルセリン、リゾスフィンゴシルホスホリルコリン、リゾホスファチジルグリセロール、リゾホスファチジルイノシトール、血小板活性化因子（ＰＡＦ）、及びその組合せからなる群より選択される、１又は２以上のリゾリン脂質を含む方法。
【請求項９】
ステップａ）が、液体クロマトグラフィー質量分析法（ＬＣ−ＭＳ）によって試料を分析することを含む、請求項７又は８に記載の方法。
【請求項１０】
ハイスループット法であり、ステップａ）が、直接注入又は液体クロマトグラフィー、及び線形イオントラップタンデム質量分析法によって試料を分析することを含む、請求項７又は８に記載の方法。
【請求項１１】
患者からの少なくとも１つの試料を分析して、１又は２以上の内部対照代謝産物についての定量データを得るステップと、
前記１又は２以上の代謝産物マーカーの各々のレベルの、前記１又は２以上の内部対照代謝産物について得られたレベルに対する比率を得るステップとをさらに含み、
比較ステップ（ｂ）が、各々の比率と、１又は２以上の標準試料について得られた１又は２以上の対応する比率とを比較するステップを含む、請求項７〜１０のいずれかに記載の方法。
【請求項１２】
１又は２以上の標準試料が、対照個体から得られた複数の試料；以前に患者から得られた１又は２以上の基線試料：又はその組合せである、請求項７〜１１のいずれかに記載の方法。
【請求項１３】
リゾリン脂質が、リゾホスファチジルコリン関連化合物である、請求項７〜１１のいずれかに記載の方法。
【請求項１４】
リゾリン脂質が、Ｎ、Ｎ−ジメチル−リゾホスホエタノールアミン関連化合物である、請求項７〜１１のいずれかに記載の方法。
【請求項１５】
１又は２以上の代謝産物が、
ａ）分子式Ｃ２４Ｈ５０ＮＯ７Ｐにおいて、４９６、４７８、４１９、３１３、２８３、２５８、２３９、１８４、１６６、１０４及び８６から選択される少なくとも１つのＭＳ／ＭＳ移行；
ｂ）分子式Ｃ２６Ｈ４８ＮＯ７Ｐにおいて、５１８、４５９、４１５、３５９、３４１、２８１、２２１、１０４及び８６から選択される少なくとも１つのＭＳ／ＭＳ移行；
ｃ）分子式Ｃ２６Ｈ５０ＮＯ７Ｐにおいて、５２０、５０２、４６１、４４５、２８１、２２１、１８４、１６６、１２４及び８６から選択される少なくとも１つのＭＳ／ＭＳ移行；
ｄ）分子式Ｃ２６Ｈ５２ＮＯ７Ｐにおいて、５２２、５０４、４７８、３５７、２５８、２２１、１８４、１２４、１０４及び８６から選択される少なくとも１つのＭＳ／ＭＳ移行；
ｅ）分子式Ｃ２６Ｈ５４ＮＯ７Ｐにおいて、５２４、５０６、４９６、４７８、３３１、３１３、２５８、２８５、１８４、１６６、１２４、１０４及び８６から選択される少なくとも１つのＭＳ／ＭＳ移行；
ｆ）分子式Ｃ２８Ｈ４８ＮＯ７Ｐにおいて、５４２、４８３、２８４、２２５、１８４、１０４及び８６から選択される少なくとも１つのＭＳ／ＭＳ移行；
ｇ）分子式Ｃ２８Ｈ５２ＮＯ７Ｐにおいて、５４６、５２８、５１４、４８７、１０４及び８６から選択される少なくとも１つのＭＳ／ＭＳ移行；又は
ｈ）分子式Ｃ２３Ｈ４８ＮＯ７Ｐにおいて、４８０、４６２、４３５、３９１、２５５、２４２、２２４、１６８、１５３及び７９から選択される少なくとも１つのＭＳ／ＭＳ移行；
によって特徴づけれられる、請求項１３に記載の方法。
【請求項１６】
１又は２以上の代謝産物が、
ｉ）分子式Ｃ３０Ｈ４６ＮＯ５Ｐにおいて、５３０、４８０、２５５、２２４、１６８及び７８から選択される少なくとも１つのＭＳ／ＭＳ移行；
ｊ）分子式Ｃ２５Ｈ５２ＮＯ９Ｐにおいて、５４０、４８０、２５５、２４２、２２４、１６８、１５３及び７９から選択される少なくとも１つのＭＳ／ＭＳ移行；
ｋ）分子式Ｃ２６Ｈ５４ＮＯ９Ｐにおいて、５５４、５０８、４９４、４６３、２８１、２６９、２４２、２２４、１６８、１５３及び７９から選択される少なくとも１つのＭＳ／ＭＳ移行；
ｌ）分子式Ｃ２７Ｈ５２ＮＯ９Ｐにおいて、５６４、５０４、４５４、２７９、２４２、２２４、１６８、１５３及び７９から選択される少なくとも１つのＭＳ／ＭＳ移行；
ｍ）分子式Ｃ２７Ｈ５４ＮＯ９Ｐにおいて、５６６、５０６、２８１、２４２、２２４、１６８、１５３及び７９から選択される少なくとも１つのＭＳ／ＭＳ移行；又は
ｎ）分子式Ｃ２７Ｈ５６ＮＯ９Ｐにおいて、５６８、５０８、２８３、２４２、２２４、１６８、１５３及び７９から選択される少なくとも１つのＭＳ／ＭＳ移行
によって特徴づけられる、請求項１４に記載の方法。
【請求項１７】
１又は２以上の代謝産物が、
【化１】
2009530624.tif 000001
の構造を有する、請求項７〜１１のいずれかに記載の方法。
【請求項１８】
試料における１又は２以上の代謝産物マーカーのレベルの減少が、比較ステップ（ｂ）で確認される、請求項７〜１７のいずれかに記載の方法。
【請求項１９】
正確な質量強度データ又は定量データが、フーリエ変換イオンサイクロトロン共鳴、タイムオブフライト、オルビトラップ、四重極若しくは三重極質量分析を用いて得られる、請求項１〜１８のいずれかに記載の方法。
【請求項２０】
質量分析計が、クロマトグラフィーシステムを備える、請求項１９に記載の方法。
【請求項２１】
クロマトグラフィーシステムが、液体又はガスクロマトグラフィーシステムである、請求項２０に記載の方法。
【請求項２２】
試料が、血液試料、血清試料、脳脊髄液試料又は腫瘍組織試料である、請求項１〜２１のいずれかに記載の方法。
【請求項２３】
試料について液／液抽出を実施し、これにより無極性代謝産物が有機溶媒に溶解され、極性代謝産物が水性溶媒に溶解される、請求項１〜２２のいずれかに記載の方法。
【請求項２４】
抽出された試料が、正若しくは負のエレクトロスプレーイオン化、正若しくは負の気圧化学イオン化、又はそれらの組合せにより分析される、請求項２３に記載の方法。
【請求項２５】
１又は２以上の標準試料が、対照個体から得られた複数の試料；以前に患者から得た１又は２以上の基線試料；又はその組合せである、請求項１〜６のいずれかに記載の方法。
【請求項２６】
ステップ（ｂ）で定義した１又は２以上の標準試料のうち少なくとも１つが、
以前に患者から得た治療前の基線試料である、請求項２又は８に記載の方法。